Podtech/llm-jp-corpus-v4-ja_patent huggingface dataset:
(57)【要約】      （修正有）【課題】終った前月の部分を今月が終わるまで簡単に切り取れない不都合を改善し、又、切り取った部分がメモ用紙としても再利用する。【解決手段】カレンダーの絵、若しくは人物、若しくは風景などが書いてある部分と日付が書いてある部分が分かれている。その分かれている分岐線に切り込み２を入れる。又、今月の日付が書いてある部分と來月の日付が書いてある部分の間にも同様の切り込み３を入れる。日付が書いてある部分の両側にも切り込み４を入れる。こうすることによって終わった前月の部分を簡単に切り取って、次のページにある来月の部分を見ることができる。【選択図】図１
0003114272.tif 000002
【実用新案登録請求の範囲】
【請求項１】
カレンダーの絵、人物、風景などが書いてある部分と日付が書いてある部分の分岐線に切り取りやすいように切り込みを入れる。（例えば、繋がっている切手を切り取りやすいように切り込みを入れたことと同じ原理である）又、今月の日付が書いてある部分と来月の日付が書いてある部分の間にも同様の切り込みを入れる。日付が書いてある左右の両側にも切り込みを入れる。こうすることによって終わりになった前月の日付がある部分を簡単に切り取って、メモ用紙としても再利用できる。
【考案の詳細な説明】
【技術分野】
【０００１】  本考案は、カレンダーに関する。
【背景技術】
【０００２】  市販されているカレンダーのうちでは、一枚の紙に２ヶ月分ずつ、若しくは３ヶ月分ずつが乗ってあるのが少なくない。例えると、一枚の紙に１月の日付が書いてある部分と２月の日付が書いてある部分が一緒に乗っている。この場合、既に、過去のものになった１月の部分を２月が終わるまで、このページを切り取れない。
【考案の開示】
【考案が解決しようとする課題】
【０００３】  既に、過去のものになった１月の部分を簡単に切り取って、３月も見る事が出来るようにしたいのである。
【課題を解決するための手段】
【０００４】  カレンダーの一つのページを例を挙げて説明すると、絵、若しくは人物、若しくは風景が書いてある部分と日付が書いてある部分が分かれている。このように分かれている分岐線に切り取りやすいように切り込みを入れる。（例えると、繋がっている切手を切り取りやすいように切り込みを入れたことと同じ原理である。）（図１）又、今月の日付が書いてある部分と来月の日付が書いてある部分の間にも同様の切り込みを入れる。日付が書いてある部分の両側にも同様の切り込みを入れる。
【考案の効果】
【０００５】  このように切込みを入れた事によって、一つのページにあった、既に過去のものになった前月を簡単に切り取って、次のページにある来月も見ることができる。また、切り取ったものは捨てずに、まとめてメモ用紙としても再利用できる。
【考案を実施するための最良の形態】
【０００６】  本考案に係る切り込み２，３，４は切手の切り込みと同じような形が一番望ましいものである。
【図面の簡単な説明】
【０００７】
【図１】  本考案に係る切り込みを入れたカレンダーの平面図である。
【符号の説明】
【０００８】    １      絵、若しくは人物、若しくは風景などが書いてある部分
２      切り込み
３      切り込み
４      切り込み
【図１】
0003114272.tif 000003
【手続補正書】
【提出日】平成17年5月23日(2005.5.23)
【手続補正１】
【補正対象書類名】実用新案登録請求の範囲
【補正対象項目名】請求項１
【補正方法】変更
【補正の内容】
【請求項１】
カレンダーの絵、人物、風景などが書いてある部分と日付が書いてある部分の分岐線に切り込みを入れ（例えば、繋がっている切手を切り取りやすいように切り込みを入れたことと同じ原理である）、又、今月の日付が書いてある部分と来月の日付が書いてある部分の間に切り込みを入れ、又、日付が書いてある部分の左右の両側にも切り込みを入れ、こうすることによって、終わりになった先月の部分が簡単に切り取れて、メモ用紙としても利用できるカレンダー。
(57)【要約】【課題】今まで両耳に親の指が届きにくく、入浴が大変だったので耳当てをすることにより、新生児の耳に湯が入らなくなり、耳を痛めない耳当てを提供する。【解決手段】耳当ては柔らかい素材で左右２つ作り、新生児の耳に湯が入らず、皮膚も痛めないようにすると共に、鼓膜を痛めない為に空気口５を設けた。又、耳当て本体１はハート形や花形等を作ることにより、育児の楽しみも感じることができる。【選択図】図２
0003114271.tif 000002
【実用新案登録請求の範囲】
【請求項１】
新生児の入浴時に耳に湯が入るのを防ぐ耳当て
【考案の詳細な説明】
【考案の詳細な説明】
【考案が解決しようとする課題】
【０００１】新生児を入浴させる時、新生児の両耳を前へ倒して耳に湯が入らない様にしますが、新生児の耳を痛めたり、親の指が届きにくいという問題点があった。
【課題を解決するための手段】
【０００２】新生児の耳を痛めない為に、２つの耳当てを作り、本体２の部分に取り付けた帯３に親指を置きその帯で固定し、もう一方も、同様に中指と薬指を一緒に置き、３の帯で固定し両耳を押さえる。又、耳当ての空間内が真空状態になれば鼓膜を痛めるので、空気口５を設けた。
【考案の効果】
【０００３】耳当てをする事により、新生児の耳に湯が入らなくなり、傷も付かない。その上、親の指を無理に広げることもなく安心して入浴させることが出来る。
【図面の簡単な説明】
【図１】耳当て本体と指を固定する帯の平面図である。
【図２】考案した耳当ての使用状況を示す断面図である。
【符号の説明】
１  耳当て本体
２  指置き位置
３  指を固定する帯
４  固定して合わせる
５  空気口
６  指先
【図１】
0003114271.tif 000003
【図２】
0003114271.tif 000004
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
耳当て本体と、前記耳当て本体に対して指を置くための位置に形成された空気口と、前記耳当て本体に指を固定するための帯とを有することを特長とする新生児の入浴時に私用する耳当て。
(57)【要約】      （修正有）【課題】水虫治療及び足臭防止をするための、薬液塗布方法に関する薬容器を提供する。【解決手段】靴の爪先部分の隙間に収納できる容器に薬液を充填し、容器の小穴より浸出した薬液を浸透紙（布）で吸収、拡散させる薬容器。薬容器に充填する薬液を水虫薬、防臭薬と入れ替える事で、水虫治療、防臭対策と利用できる容器。【選択図】図１
0003114279.tif 000002
【実用新案登録請求の範囲】
【請求項１】
靴の爪先部分の隙間に収納する、薬液浸出穴をもった容器
【請求項２】
薬液浸出穴を覆う、吸収発散機能を持つ薬液浸透紙（布）を取り付けた構造の容器
【考案の詳細な説明】
【技術分野】
【０００１】「本考案は水虫治療及び足臭防止をするための、薬液塗布方法に関する薬容器の考案である。」
【背景技術】
【０００２】「従来水虫薬・防臭剤等は直接患部に塗布・噴霧あるいは靴の中に噴霧するなどして用いられてきた。」
【考案の開示】
【考案が解決しようとする課題】
【０００３】従来、水虫薬は直接患部に塗布・噴霧する方法で用いられてきた。しかし時間の経過と共に薬効が薄れても直に対応するのが大変であった。又水虫患部に塗布治療したとしても、水虫菌が繁殖した靴を再度履く事で薬効も半減し、治療を長引かせる原因となっていた。
【課題を解決するための手段】
【０００４】靴の爪先部分の隙間に収納できる容器に薬液を充填し、容器の小穴より浸出した薬液を浸透紙（布）で吸収、拡散させる薬容器
【考案の効果】
【０００５】水虫発生原因の、水虫菌が繁殖した靴も殺菌対応する効果がある。
又、薬容器の中に薬液があるかぎり、継続して薬効が生かされる。
【考案を実施するための最良の形態】
【０００６】薬液を充填した容器を、靴の爪先隙間部分に接着テープで固定して使用、爪先への干渉を避けるため、靴の形状に合わせた形として、靴の先端に収納できる形の薬容器とする。
【実施例】
【０００７】左右の靴の先端に、水虫薬液或いは防臭薬液をと目的に応じた薬液を充填した薬容器を、接着テープで固定して使用する。
【産業上の利用可能性】
【】
【図面の簡単な説明】
【０００８】
【図１】「薬容器を示した立体図である。」  １の薬液注入口より薬液を充填し、蓋をする構造の容器、この容器は薬液が浸出する浸出穴２があり、その浸出穴を覆うように接着された、薬液を吸収発散させる機能を持つ薬液浸透紙（布）３より構成された容器。
【符号の説明】
【０００９】  １薬液注入口
２薬液浸出穴
３薬液浸透紙（布）
【図１】
0003114279.tif 000003
【図２】
0003114279.tif 000004
【図３】
0003114279.tif 000005
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
靴の爪先部分の隙間に収納する、薬液浸出穴を持つ容器の、浸出穴に吸収発散機能がある浸透紙を取り付けた構造の容器
【手続補正２】
【補正対象書類名】明細書
【補正対象項目名】０００８
【補正方法】変更
【補正の内容】
【０００８】
【図１】薬容器を示した立体図である。１の薬液注入口より薬液を充填し、蓋をする構造の容器、この容器は薬液が浸出する浸出穴２があり、その浸出穴を覆うように接着された、薬液を吸収発散させる機能を持つ薬液浸透紙３より構成された容器。
【図２】薬容器を示した平面図である。
【図３】薬容器を示した側面図である。
(57)【要約】      （修正有）【課題】非力な老人、子供はミルクポーション、ガムシロップ等の容器の小さな口の爪を指先でつまんで、引っ張り開けるのは困難である。また、成人でさえ、開ける際、不用意な力が入って、中味のミルク等を飛ばして、服やテーブルを汚すことがある。【解決手段】２本の棒で挟んで容器の口の爪を巻き取り、容器の口の爪を容易に開ける事が出来るようにした。【選択図】図１
0003114277.tif 000002
【実用新案登録請求の範囲】
【請求項１】
ミルクポーション、ガムシロップ等の容器の口の爪を２本の棒で挟んで巻き込んで開ける。
【考案の詳細な説明】
【考案の詳細な説明】
この考案は容器の口の爪を２本の棒で巻き取って、容器の爪を容易に開けることが出来る。
非力な老人、子供はミルクポーション、ガムシロップ等の容器の小さな口の爪を指先でつまんで、引っ張り開けるのは困難である。また、成人でさえ、開ける際、不用意な力が入って、中味のミルク等を飛ばして、服やテーブルを汚すことがある。
【図面の簡単な説明】
【図１】  本考案の斜視図である。
【図２】  本考案の使用中の斜視図である。
【符号の説明】
１  ミルクポーション    ２  挟む棒
【図１】
0003114277.tif 000003
【図２】
0003114277.tif 000004
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
ミルクポーション、ガムシロップ、バター、ジャム等の容器の口の爪を２本の棒で挟んで、巻き込んで開ける道具。
(57)【要約】      （修正有）【課題】抑制すべき相手が、凶器等所持して立ち向かってくるような状況で、従前のさすまたでは、背後に固定物がある場所まで押し続けなければならず、危険が伴う。【解決手段】２つのアームが相手の胴部分に閉鎖され、固定部分まで推さなくてもよく、非力なものでも捕捉でき、危機を回避することができる。端部に取り付けられたひも等で固定物等に固定すれば、危険は回避される。【選択図】図１
0003114292.tif 000002
【実用新案登録請求の範囲】
【請求項１】
２つのアームがその回動支点で回転軸を中心にして開閉動作可能である、この２つのアームを取り付けている軸棒に内蔵したスプリング等で離間した位置で閉鎖し、施錠捕捉する。
【請求項２】
軸棒端部に穴を設けひも状のものを取り付け、固定物に結び行動を抑制する。
【考案の詳細な説明】
【技術分野】
【０００１】  現状では、抑制すべき相手が凶器等を所持して襲ってくる状況において、確実に捕捉できない。
【背景技術】
【０００２】  従前のさすまたでは、アームが開閉しない。【０００３】  本考案は、さすまたのアームが使用前には図１の状態で補足し易く、押し棒が、暴漢に接触した時点で収縮して、図２の状態となり、自由を奪う。
【図１】
0003114292.tif 000003
【図２】
0003114292.tif 000004
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
２つのアームがその回動支点で回転軸を中心にして開閉動作可能に構成されており、この２つのアームを、取り付けている軸棒に内蔵したスプリング等で離間した位置で閉鎖し、施錠捕捉するようにした、ことを特徴とする、さすまた仕組み捕捉器具。
【請求項２】
請求項１において、軸棒端部に穴を設け、ひも状のものを取り付け、固定物に結び行動を抑制するようにした、ことを特徴とする、さすまた仕組み捕捉器具。
【手続補正２】
【補正対象書類名】明細書
【補正対象項目名】全文
【補正方法】変更
【補正の内容】
【考案の詳細な説明】
【技術分野】
【０００１】
本考案は、さすまた仕組み捕捉器具に関する。
【背景技術】
【０００２】
従前のさすまたでは、抑制すべき相手が、凶器等所持して立ち向かってくるような状況で、背後に固定物がある場所まで押し続けなければならない。
【考案の開示】
【考案が解決しようとする課題】
【０００３】
従前のさすまたでは、抑制すべき相手が、凶器等所持して立ち向かってくるような状況で、背後に固定物がある場所まで押し続けなければならず、危険が伴う。
【課題を解決するための手段】
【０００４】
本考案によるさすまた仕組み捕捉器具は、２つのアームがその回動支点で回転軸を中心にして開閉動作可能に構成されており、この２つのアームを、取り付けている軸棒に内蔵したスプリング等で離間した位置で閉鎖し、施錠捕捉するようにした、ことを特徴とするものである。
【０００５】
また、本考案によるさすまた仕組み捕捉器具においては、軸棒端部に穴を設け、ひも状のものを取り付け、固定物に結び行動を抑制するようにした。
【考案の効果】
【０００６】
本考案によれば、２つのアームが相手の胴部分に閉鎖されるので、固定部分まで推さなくてもよく、非力な者でも補捉でき、危機を回避することができる。
【考案を実施するための最良の形態】
【０００７】
本考案を実施するための最良の形態は次の実施例のとおりである。
【実施例１】
【０００８】
本実施例は、図1、図２に示すものである。本実施例のさすまた仕組み捕捉器具は、２つのアームがその回動支点で回転軸を中心にして開閉動作可能に構成されており、この２つのアームを、取り付けている軸棒に内蔵したスプリング等で離間した位置で閉鎖し、施錠捕捉するようにしている。
【０００９】
また、本実施例のさすまた仕組み捕捉器具においては、軸棒端部に穴を設け、ひも状のものを取り付け、固定物に結び行動を抑制するようにしている。
【００１０】
本実施例によれば、２つのアームが相手の胴部分に閉鎖され、固定部分まで推さなくてもよく、非力なものでも補捉でき、危機を回避することができる。
【図面の簡単な説明】
【００１１】
【図１】本考案の実施例によるさすまた仕組み捕捉器具を説明するための図。
【図２】本実施例によるさすまた仕組み捕捉器具を説明するための図。
(57)【要約】      （修正有）【課題】フェンダーにキャップを設け中にバラストを入れる事によりフェンダーが波浪時に風に吹かれる事をおさえるとともに、船の舷側をカバーすることなく浮いて横になってその機能を成さない事などを防止する。【解決手段】フェンダー本体１に開閉可能なキャップ３を設け必要な分のバラストを入れ常にフェンダーが水面に対してほぼ垂直になることが可能になる、バラストが入った事により波浪時にフェンダーが風に吹かれる事をおさえるとともに、船の舷側をカバーすることなく浮いて横になってしまう事などを防止することができその機能を最大に高められる。【選択図】図１
0003114291.tif 000002
【実用新案登録請求の範囲】
【請求項１】
円筒形の船舶用のフェンダーで、バラスト取り入れ用キャップを備えることを特徴とする浮き上がり防止フェンダー
【考案の詳細な説明】
【実施例】
【００２】  以下添付図面に従って実施例を説明します。１は耐久性の適宜素材にて成型された浮き上がり防止フェンダー本体、２はロープを通す穴、３はバラスト取り入れ用キャップです。３は機密性が必要なためオーリング等をはさんだねじ式を使用します。水や砂を入れる際は３のキャップより入れます。２にロープを通し、船の舷側に吊るして使用します。
バラストの量はその船にあった分を入れ使用します。
【図面の簡単な説明】
【００３】
【図１】本考案の浮き上がり防止フェンダーの正面図です。
【図２】本考案の浮き上がり防止フェンダーの右側面です。
【符号の説明】
【００４】１  浮き上がり防止フェンダー本体
２  ロープを通す穴
３  バラスト取り入れ用キャップ
【図１】
0003114291.tif 000003
【図２】
0003114291.tif 000004
(57)【要約】      （修正有）【課題】自動車等の塗装表面に付着した樹液などの付着、凝固した汚れを除去するための樹液除去具を提供する。【解決手段】プレートのエッジを利用し、単板、もしくは複数枚組み合せた樹液除去具。【選択図】図１
0003114296.tif 000002
【実用新案登録請求の範囲】
【請求項１】
塗装面に付着した樹液をプレートのエッヂを利用して削り落とす樹液除去具。
【請求項２】
プレートを単板、もしくは複数枚組合わせた請求項１に記載の樹液除去具。
【考案の詳細な説明】
【考案の詳細な説明】
［産業上の利用分野］
本考案は、平坦な金属プレート、または平坦な硬質プラスチック材を用いて自動車等の塗装表面に付着凝固した樹液類を削り落とす、樹液除去具に関するものである。
［従来の技術］
従来より、塗装表面に頑強にこびりついた樹液を除去する薬剤や器具は無かった。
［考案が解決しようとする課題］
樹木、特にケヤキや松の木等から降り注ぐ樹液は時間の経過によって頑強に凝固し、これが付着した自動車等の美しい塗装表面は、無残にも荒目のヤスリを連想させるようなザラザラの状態となってしまった。現在まで、これを解決させる手段としてボデー全体を覆うカバーが有効な手段として利用されていたが、出先での状況や駐車場の状況によって簡単に使用することが出来ず、加えて、始終持ち歩く訳にもいかない欠点があった。また、一度付着してしまった樹液は洗剤や薬剤を用いても簡単に除去することが出来ない厄介なものとして、自動車を愛する人々にとって最大の悩み事であった。本考案は、これを解決するために成されたものである。
［課題を解決するための手段］
本考案は、塗装面を傷めること無く樹液を削り落とすことで課題を解決しようとするものである。洗剤や樹液を溶かす薬剤が存在しない現状にあって、塗装皮膜を傷付けずに削り落とす手段が、最も効果的で有効な手段と考える。図１は滑らかでフラットな面を有する単体の金属、または硬質なプラスチック材のプレートとプレー１ホルダーの側断面図である。このフラットな面を塗装表面に当ててスライド方向を示す矢印に往復運動をさせ、樹液を削り落とす構成である。厚さ１ミリメートル程度のプレート（１）を固定し、また、スライド時においてプレートとこれを保持する指との遊離を防ぐために指の間に挟む突起付きプレートホルダー（２）を主とする構造からなるものである。図２は、細長プレート（３）を３枚組合わせたタイプの側断面図で、このタイプはなだらかな車体の曲面部分専用に用いるものであることから、プレートとプレートの間にスリット（４）を設けた構造を有し、曲面に沿って密着し、且つ、滑らかなスライドを可能としている。この図２のタイプでは、複数プレートホルダー（５）の材質を、軟質なゴムやポリエステルを素材として使用する。
［実  施  例］
プレート（１）もしくは細長プレート（３）を、それぞれのプレートホルダー（２）もしくは（５）に接着、あるいは填め込み構造とする。また、図４に示すごとく、どのプレートのエッヂ（６）部分もスライド方向、即ち、塗装面に対して８５度から９０度の角度を有するものとし、この角度の面で樹液を削り取る構成である。スライド方向に対するプレートの側面部分のエッヂ部は、スライドをさせる方向以外の他の塗装面を傷つけないよう面取り処理を行う。図３は、本考案  の２種類のプレートの面取り部分を斜線で表した平面図である。使用方法を説明すると、埃等を洗い流した後、樹液を取り除きたい部分に本考案の器具の平坦なプレート面を密着させ、人差し指及び中指でプレートホルダー突起（７）を挟み込み、ソフトなタッチでプレートを矢印の方向にしたがって往復させる。スライドをさせる基本動作はあくまで穏やかでソフトなタッチであり、この動作を数回かさねる事で樹液を容易に削り取る事が出来る。本考案はこれらの構造と使用方法からなる、至ってシンプルな構成の樹液除去具である。
【図面の簡単な説明】図１は、本考案のプレートの全体側断面
図２は、本考案の複数枚プレートタイプの全体側断面図
図３は、本考案のプレートの面取り部分を示す平面図
図４は、本考案のプレート部分の側断面拡大図
【図中の符号と名称】
（１）プレート      （２）プレートホルダー      （３）細長プレート
（４）スリット      （５）複数プレートホルダー      （６）エッヂ
（７）プレートホルダー突起
【図１】
0003114296.tif 000003
【図２】
0003114296.tif 000004
【図３】
0003114296.tif 000005
【図４】
0003114296.tif 000006
(57)【要約】      （修正有）【課題】展示物の出隅部を差し込むだけで、展示物が波打たない画鋲を提供する。【解決手段】画鋲は、頭部１と、針２とから構成されている。頭部１は、平面形状が直角三角形で、写真、葉書、絵画等の展示物の出隅部を差し込む溝３が設けられている。針２は頭部１に一体に取り付けられている。画鋲の材料は、金属製でも樹脂製でも良い。【選択図】図１
0003114297.tif 000002
【実用新案登録請求の範囲】
【請求項１】
写真、葉書、絵画などの展示物を壁面、ボード面等の添付面に貼りつけて、展示する際に使用する画鋲であって、前記展示物の出隅部を差し込む溝を設けた頭部と、この頭部に一体に突設した針とからなる画鋲。
【考案の詳細な説明】
【技術分野】
【０００１】本考案は、写真、葉書、絵画などを壁面等に貼りつけることのできる画鋲に関するものである。
【背景技術】
【０００２】従来のこの種の画鋲に類似したものとしては、紙などを差し込んだとき、これを滑り落ちないように止める滑り止め用突起を設けた頭部に針を取り付けた画鋲フック・クリップがある（特許文献１参照）。【０００３】
【特許文献１】実用新案登録番号第３０３３６７４号公報
【考案の開示】
【考案が解決しようとする課題】
【０００４】従来の画鋲フック・クリップは、写真や葉書などを壁面などに貼りつけることができるが、クリップ機能をもたせるために滑り止め用突起を突設しているため、貼りつけた写真などが波打ってしまうので、これらのものを展示するには適していない。本考案は、このような従来の問題点を解決することを課題とする。
【課題を解決するための手段】
【０００５】本考案が提供する画鋲は、写真、葉書、絵画などの展示物を壁面、ボ−ド面等の添付面に貼りつけて、展示する際に使用する画鋲であって、前記展示物の出隅部を差し込む溝を設けた頭部と、この頭部に一体し突設した針とからなるものである。
【考案の効果】
【０００６】本考案によれば展示物の出隅部を差し込むだけであるので、展示物が波打たない。
【考案を実施するための最良の形態】
【０００７】以下、本考案の実施例を図１と図２によって説明する。
図１、図２において、Ｇは実施例の画鋲を示す。この画鋲Ｇは、頭部１と、針２とから構成されている。頭部１は、平面形状が直角三角形で、写真、葉書、絵画等の展示物の出隅部を差し込む溝３が設けられている。針２は頭部１に一体に取り付けられている。画鋲Ｇの材料は、金属製でも樹脂製でも良い。図２は、上記画鋲Ｇの使用状態を示す。頭部１は、写真等を止めたときにはその出隅部（コ−ナ−部）に表出するので、着色したり、模様を入れて美感をそえることができる。
【図面の簡単な説明】
【０００８】
【図１】実施例の画鋲の斜視図
【図２】実施例の画鋲を使用して写真等を添付した状態を示す正面の図
【０００９】  Ｇ  画鋲
１  頭部
２  針
３  溝
【図１】
0003114297.tif 000003
【図２】
0003114297.tif 000004
【手続補正書】
【提出日】平成17年6月7日(2005.6.7)
【手続補正１】
【補正対象書類名】図面
【補正対象項目名】全図
【補正方法】変更
【補正の内容】
【図１】
0003114297.tif 000005
【図２】
0003114297.tif 000006
(57)【要約】【課題】  最近若い人々等の間で草履を編むことが好まれている。しかし、吸盤を机等に貼ったりして行われているが、吸盤等はすぐ外れてしまい思うようには行かない。そこで草履を編むのに最適な草履編み台を提供する。【解決手段】  長方形の基台の一端に斜板を立てて装着する。基台と、斜板は側面より見て扇状の固定具で固定される。斜板の上部は３つの突起により、２つの溝が設けられる。この突起に草履となる紐をつけて、手前側で順次編む。斜板の側部に耳を設け、紐が下に垂れ下がらないようにする。これにより、紐を突起にかけ、効率的に且つ楽しく、楽に草履を編むことができる。【選択図】  図１
0003114201.tif 000002
【実用新案登録請求の範囲】
【請求項１】
長方形の基台の一端に斜板が横方向より見て扇状の固定具により立って装着され、該斜板の上部には、３つの突起により２つの溝が設けられ、該斜板の上部側面に、左右各々一つの耳を設けた草履編み台。
【考案の詳細な説明】
【技術分野】
【０００１】
本考案は、草履編み台に関する。
【背景技術】
【０００２】
最近若い人々等の間で、草履を編むことが好まれている。しかし、吸盤を机等に貼ったりして、行われているが、吸盤はすぐ外れてしまい、思うように行かない。
【特許文献１】特記すべき出願はありません。
【非特許文献１】各社のパンフレット等あるはずだが余り目にしない。
【考案の開示】
【考案が解決しようとする課題】
【０００３】
本考案は、草履にする紐をかける突起を３つ設けることにより、具合良く草履を編めるものである。
【課題を解決するための手段】
【０００４】
本考案は、長方形の基台の一端に斜板が横方向より見て扇状の固定具により立って装着され、該斜板の上部には、３つの突起により２つの溝が設けられ、該斜板の上部側面に、左右各々一つの耳を設けた草履編み台。である。
【考案の効果】
【０００５】
紐を突起にかけ、効率的に又、楽しく、楽に草履を編むことができる。
【考案を実施するための最良の形態】
【０００６】
長方形の基台１の一端に縁部２を設ける。基台１には斜板３が、他端で斜めに立って装着される。基台１と斜板３は、側面より見て扇状の固定具４によりしっかり固定される。斜板３の上部には３つの突起５，６，７により、溝８，９が設けられる。又斜板３の上部の側部に耳１０，１１が左右各１つ設けられる。
【０００７】
使用者は、紐を突起５，６，７に掛け手前側で編む。耳１０，１１は紐が直下に垂れ下がらないように設けられたものである。
【産業上の利用可能性】
【０００８】
最近の草履を編もうとする流行により、広く人々に用いられる可能性が大である。
【図面の簡単な説明】
【０００９】
【図１】斜視図である。
【図２】側面図である。
【符号の説明】
【００１０】
１  基台
２  縁部
３  斜板
４  固定具
５、６，７  突起
８，９      溝
１０，１１  耳
【図１】
0003114201.tif 000003
【図２】
0003114201.tif 000004
(57)【要約】      （修正有）【課題】使用勝手が良好で、仮止め状態を確実に維持する、蛇皮線の蛇皮張設用仮止具を提供する。【解決手段】摘みとなる棒杆体２の先端に押え片５を設けて構成した仮止め具本体１と、該本体１の前記棒杆体２の軸線上に位置して設けた通し孔６に嵌挿して頭部７ａを前記棒杆体２に係止し、先端を蛇皮３を通じて蛇皮線の胴４に打ち込む止着杆７とで構成する。【選択図】図１
0003114238.tif 000002
【実用新案登録請求の範囲】
【請求項１】
摘みとなる棒杆体の先端に押え片を設けて構成した止め具本体と、該本体の前記棒杆体の軸線上に位置して設けた通し孔に嵌挿して頭部を前記棒杆体に係止し、先端を蛇皮を通じて蛇皮線の胴に打ち込む止着杆とで成る、蛇皮線の蛇皮張設用仮止具。
【考案の詳細な説明】
【技術分野】
【０００１】
本考案は、胴に蛇皮を張設して胴表および胴裏を得るために用いる蛇皮線の蛇皮張設用仮止具に関するものである。
【背景技術】
【０００２】
胴に蛇皮を張設して（張って）、蛇皮線の胴表および胴裏を得るには、前記蛇皮を胴周面に接着剤によって貼り付ける手段が採られており、該操作中は、蛇皮に水分を含ませつつこれを延ばして胴面を塞ぐように胴周面に接着するため、接着剤の乾燥速度と水分を含ませて蛇皮の水分の蒸発（乾燥）速度の相違によって胴面に張って胴周面に接着剤で接着した状態を一時的に保持（仮止め）しておく必要がある。
【０００３】
この仮止め状態は、蛇皮が胴周面に沿って隙間なく接している（接着剤を介して）ことが望ましく、隙間なく接着させるためにはバンド体を用いることが考えられるが、バンド体を用いるのは胴の形態上ぼほ不可能で、そのため、胴に杆体を差し込む手段が採られているが胴を構成する（一般に）黒檀や花梨は硬質であるため、その硬質に充分対処しなければならない。
【考案の開示】
【考案が解決しようとする課題】
【０００４】
従来は市販の釘を用いることが考えられるが、釘は蛇皮を押える部分としての頭部が小さく、従って、接触面積が狭いので必要以上の本数を要し、前記木質の硬さに対応するには径の太いものを必要とし、径の太いものは必要以上に長いという欠点があり、釘を用いるのは実際的でない。
【０００５】
また、所謂鋲のように頭の大きい（径の広い）ものは、接触（押え）面積が広いので有効ではあるが、蛇皮を通じて胴に差し込む（打ち込む）脚杆部先端と頭部との間が開いているので脚杆部を蛇皮を通じて胴に打ち込んだ際、頭部を所望の位置に配置することがむずかしく、また、前記の釘と同様、接着剤乾燥後に不要物として胴から取り外す際の作業性に問題がある。
【０００６】
これら諸般の事情から胴に蛇皮を張設するに際し、経験、熟練に頼ることなく、使用勝手の良好な仮止具が望まれているのが現状である。
【０００７】
本考案は、斯様な現状に対処し、使用勝手上良好のみならず、仮止め状態を効率的に維持できる仮止具を提供すべく創案したものである。
【課題を解決するための手段】
【０００８】
摘みとなる棒杆体の先端に押え片を設けて構成した止め具本体と、該本体の前記棒杆体の軸線上に位置して設けた通し孔に嵌挿して頭部を前記棒杆体に係止し、先端を蛇皮を通じて蛇皮線の胴に打ち込む止着杆とで成るものである。
【考案の効果】
【０００９】
本考案によれば、押え片を蛇皮を介して胴周囲に当接した状態で該押え片を先端に備えた棒杆体の通し孔を通じて止着杆を前記胴に打ち込むことによって蛇皮の仮止めを行うことができ、従って、押え片を蛇皮に直接的に重ね合わせるから、所望の位置に取付けられ、止着杆も通し孔に案内されて、胴に打ち込まれるから、木質の硬さに対応して曲がることなく確実に行え、棒杆体を摘みとするものであるこれらの操作上好適であるし、また、接着剤乾燥後の胴からの取り外し作業も棒杆体を摘んで行うことができ、総じて、実用的な仮止具を提供できる。
【実施例】
【００１０】
図面は本考案に係る蛇皮線の蛇皮張設用仮止具の一実施例を示し、図１は蛇皮を胴に仮止め状態にする直前の断面図、図２は図１の平面図である。
【００１１】
図中、１は仮止具本体で、本体１は摘みとなる棒杆体２の先端に、蛇皮３を蛇皮線の胴４に部分的に押え付ける押え片５を設け、また、通し孔６を棒杆体２の軸線上に設けた合成樹脂体で構成したものである。
【００１２】
７は、前記本体１とで本考案に係る蛇皮張設用仮止具Ａを構成する止着杆で、止着杆７は、本体１に設けた前記通し孔６の内径とほぼ一致する外径を備えた釘（鉄まる釘）体で構成したものである。
【００１３】
しかして、胴４に接着剤を介して重ね合わせた蛇皮３上に、押え片５を当接させて仮止具本体１を配置し、本体１の通し孔６に嵌挿した止着杆７の頭部７ａを叩打してその先端７ｂを前記蛇皮３を通じて胴４内に打ち込み、該打ち込みも、頭部７ｂが本体１の棒杆体２に係止する位置まで行うと、押え片５で押え込まれた蛇皮３部分は押え片５と胴４とで挟持される状態を維持され、接着剤が乾燥するまでその状態を保持することができるのである。
【００１４】
そして、図１の２点鎖線で示す通り、本体１すなわち押え片５は隙間なく隣接位置に配するようにして用い、また、用いることができ蛇皮３は胴４に確実に、かつ、強固に接着固定される。
【００１５】
仮止め操作中は、棒杆体２を手先で摘んで本体１を定位置に保持し、止着杆７の胴４に対する打込み操作、蛇皮３の胴４に対する仮止め操作を行い、蛇皮３と胴４間に配した接着材（図示省略）乾燥後は、棒杆体２を摘んで止着杆７すなわち仮止具Ａを胴４より引き抜くのである。
【００１６】
なお、止着杆７の外径と通し孔６の内径とほぼ一致させたのは、止着杆７の打込み操作時に止着杆７が通し孔６との摩擦抵抗により該通し孔６の中間位置で係止していること、すなわち、止着杆７を強制的に通し孔６に挟挿して所望位置に定置させて止着杆７と本体１を組合わせ、該組合わせた状態で打込み操作を行えるようにして打込み操作の効率化を図るためである。従って、本体１に損傷を与えることなく、止着杆７を通し孔６に強制的に嵌挿できる関係さえあればここでいう「ほぼ一致」を意味する。
【図面の簡単な説明】
【００１７】
【図１】蛇皮を胴に仮止め状態にする直前の断面図。
【図２】図１の平面図。
【符号の説明】
【００１８】
１      仮止具本体
２      棒杆体
３      蛇皮
４      胴
５      押え片
６      通し孔
７      止着杆
【図１】
0003114238.tif 000003
【図２】
0003114238.tif 000004
(57)【要約】【課題】  トイレットペーパーに印刷することにより、例えば宣伝広告機能を高めたり、購買意欲を高めたりするような技術において、印刷顔料が皮膚に接触することに起因する皮膚障害や不安感をなくすことを目的とする。【解決手段】  ロール状に巻かれたトイレットペーパー１において、中央部領域を除いて、幅方向の両端部周縁に沿った帯状部分に食紅で文字、図形、記号、模様、数字、絵柄を印刷する。この印刷としては、例えば広告宣伝の文句や、川柳、俳句、諺等が好適である。この際、印刷領域２の横幅は、トイレットペーパー１の幅をａとした場合、１／５ａまたはそれ以下にすることが好ましい。【選択図】        図１
0003114232.tif 000002
【実用新案登録請求の範囲】
【請求項１】
ロール状に巻かれたトイレットペーパーの中央部領域を除いて幅方向の両端部周縁に沿った所定幅内の帯状部分に、食紅で文字、図形、記号等が印刷されていることを特徴とするトイレットペーパー。
【請求項２】
前記両端部周縁の所定幅は、トイレットペーパーの幅の長さの１／５以内であることを特徴とする請求項１記載のトイレットペーパー。
【考案の詳細な説明】
【技術分野】
【０００１】
本考案は、例えば宣伝、広告等に使用すれば好適なロール式トイレットペーパーに関する。
【背景技術】
【０００２】
従来、トイレットペーパーに宣伝広告用の文字や図形を印刷した印刷部を設け、宣伝広告機能を持たせるようにした技術（例えば、特許文献１参照。）が知られており、また、トイレットペーパーの両端部付近に模様とフルーツの香りをつけることにより、購買意欲をそそるような技術（例えば、特許文献２参照。）も知られている。
【特許文献１】実用新案登録第３１０４００３号公報
【特許文献２】実用新案登録第３０８９２５９号公報
【考案の開示】
【考案が解決しようとする課題】
【０００３】
ところが、トイレットペーパーに印刷する場合、インキの顔料の種類によっては皮膚障害を起こしやすくなる場合があるため、継続して使用していると特に皮膚の弱い尻の部分がかぶれたり、炎症をおこしたりするような不具合がある。また、使用者によっては、印刷部分が皮膚に接触するのを嫌う場合もある。
【０００４】
そこで本発明は、トイレットペーパーに印刷することにより、例えば宣伝広告機能を高めたり、購買意欲を高めたりするような技術において、継続して使用しても印刷に起因して皮膚に障害が起きたり、使用者に不安を与えないようにすることを目的とする。
【課題を解決するための手段】
【０００５】
上記目的を達成するため本考案は、ロール状に巻かれたトイレットペーパーの中央部領域を除いて幅方向の両端部周縁に沿った所定幅内の帯状部分に、食紅で文字、図形、記号等を印刷するようにした。
このように、中央部領域を空白にし、両端側周縁に沿った所定幅内の範囲に印刷すれば、皮膚が印刷部に接触するような機会が抑制されるが、万が一印刷部に接触した場合でも、顔料が食紅であるため人体に被害を受けることがない。
ここで、食紅とは、食品に赤い色をつけるために使用する色素であり、特にベニバナの色素が使用されることが多いものである。
そして、印刷内容としては、文字、図形、記号のほか、数字や模様や写真や絵柄なども含まれるものである。
【０００６】
この際、前記両端部周縁の所定幅は、トイレットペーパーの幅の長さの１／５以内であることが好ましい。
両端周縁に沿った帯状の幅をこの程度にすれば、印刷部分が皮膚に接触する機会を抑制するのに効果的であり、また、中央部の印刷されていない空白部分は、使用者が使用する際に、印刷部分が皮膚に直接触れないと感じる領域となるため、気分的にも印刷顔料が皮膚に悪影響を与えるような心配を抱かせることがなく、安心感を与えることができる。
【考案の効果】
【０００７】
トイレットペーパーの中央部領域を除いて幅方向の両端部周縁に沿った所定幅内の帯状部分に、食紅で文字、図形、記号等を印刷すれば、皮膚が印刷部に接触するような機会が抑制され、また、万が一印刷部に接触した場合でも、顔料が食紅であるため人体に被害を受けることがない。また、使用者に対して印刷顔料が皮膚に接触することによる悪影響等の心配を抱かせることがない。
【考案を実施するための最良の形態】
【０００８】
本考案の実施の形態について添付した図面に基づき説明する。
ここで図１は本考案に係るトイレットペーパーの一例を示す説明図、図２は印刷部の範囲を示す説明図である。
【０００９】
本考案に係るトイレットペーパーは、図１に示すようにロール状に巻かれたトイレットペーパー１の幅方向の中央部領域を除き、両端部周縁に沿った所定幅の帯状の印刷領域２に、文字、図形、記号、絵柄、写真、模様などが食紅で印刷されたものである。
【００１０】
ここで、印刷顔料等が皮膚に付着したときに受ける皮膚障害の指標として、一般にＰ．Ｉ．Ｉ（Primary  Irritation  Index）が用いられており、Ｐ．Ｉ．Ｉが高いほど皮膚刺激性が強いとされているが、食紅は食品の着色用として用いられても安全なものであり、皮膚障害の指標であるＰ．Ｉ．Ｉは全く問題にならないものである。
【００１１】
ここで、具体的な印刷領域２としては、図２に示すように、トイレットペーパー１の幅をａとした場合に、両端部周縁の印刷領域幅は１／５ａ程度、またはそれ以内である。
【００１２】
そして、このように横幅３／５ａ程度の中央部領域を印刷されていない空白部とすれば、トイレットペーパーを使用時に、印刷領域２が直接皮膚に接触する機会が少なくなり、しかも、使用者に対して気分的にも印刷顔料が皮膚に接触するような心配を抱かせることがないため、安心感を与えることができる。
【００１３】
なお、印刷領域２に印刷された文字、図形、記号、絵柄、写真、模様などは、例えば宣伝、広告機能を有するもの等が繰り返して使用者の目にとまり、また注意を引くため好適であるが、そのほかにも、川柳や俳句や諺等を印刷するようにしても良い。
【産業上の利用可能性】
【００１４】
トイレットペーパーの中央部領域を除き、幅方向の両端部周縁に沿った所定幅内に食紅で文字、図形、記号等を印刷すれば、皮膚障害の虞や心配感をなくして、安全に宣伝広告機能や購買意欲等を高めることが可能になる。
【図面の簡単な説明】
【００１５】
【図１】本考案に係るトイレットペーパーの一例を示す説明図
【図２】印刷部の範囲を示す説明図
【符号の説明】
【００１６】
１…トイレットペーパー、２…印刷領域。
【図１】
0003114232.tif 000003
【図２】
0003114232.tif 000004
(57)【要約】【課題】  本考案は、夜間や照明器具がない場所で化粧直しを行えるように、化粧用の口紅容器キャップの一側面に照明器具及び鏡を設けた鏡付口紅容器を提供することを目的とする。【解決手段】  本発明の鏡付口紅容器は、口紅本体１と該口紅本体１を被うキャップ２とから構成され、前記キャップ２は鏡３を設けるために蒲鉾型、三角形、四角形などの一側面に平坦部を備える有底筒型形状となっている。キャップ２の平坦部には略全面にステンレスやアルミ等の金属を磨いて鏡面とした鏡３が設けられている。また、前記キャップ２の底部には、円盤状のリチウムボタン電池４が内蔵され、該リチウムボタン電池４の電源により白色発光する発光ダイオード電球５を前記鏡３の下縁部に取付け又は埋め込む。【選択図】  図２
0003114237.tif 000002
【実用新案登録請求の範囲】
【請求項１】
口紅本体と該口紅本体を被うキャップとから構成される口紅容器において、前記キャップは一側面に平坦部を備える有底筒型形状となっており、前記平坦部には略全面に金属を磨いて鏡面とした鏡が設けられ、さらに底部にはボタン電池が内蔵され、該ボタン電池の電源により白色発光する発光ダイオード電球を前記鏡の下縁部に設けたことを特徴とする鏡付口紅容器。
【請求項２】
前記鏡の周囲に導光板を設けて前記発光ダイオード電球の白色光を導くことを特徴とする請求項１記載の鏡付口紅容器。
【考案の詳細な説明】
【技術分野】
【０００１】
本考案は、化粧用の口紅容器キャップの一側面に鏡を設けた鏡付口紅容器に関する。
【背景技術】
【０００２】
従来、化粧用口紅容器は、簡単に化粧直しが出来るようにキャップに鏡を設けたものが多数開発されている。
例えば、キャップの側面に鏡を貼り付けるもの（特許文献１を参照）、キャップの外周部に鏡を設けるもの（特許文献２を参照）、キャップの一側面に鏡を設けるもの（特許文献３を参照）などがある。
しかし、いずれも昼間や照明器具がある場所での化粧直しを前提にしており、夜間や照明器具がない場所での化粧直しは行えないものであった。
【特許文献１】特開２０００−３００３３９号公報
【特許文献２】特開平１１−０４２１１３号公報
【特許文献３】実開平７−０３０９１５号公報
【考案の開示】
【考案が解決しようとする課題】
【０００３】
そこで、本考案は、夜間や照明器具がない場所で化粧直しを行えるように、化粧用の口紅容器キャップの一側面に照明器具及び鏡を設けた鏡付口紅容器を提供することを目的とする。
【課題を解決するための手段】
【０００４】
本考案の鏡付口紅容器は、口紅本体と該口紅本体を被うキャップとから構成される口紅容器において、前記キャップは一側面に平坦部を備える有底筒型形状となっており、前記平坦部には略全面に金属を磨いて鏡面とした鏡が設けられ、さらに底部には円盤状のボタン電池が内蔵され、該ボタン電池の電源により白色発光する発光ダイオード電球を前記鏡の下縁部に設けたものである。
さらに、前記鏡の周囲に導光板を設けて前記発光ダイオード電球の白色光を導くものである。
【考案の効果】
【０００５】
本考案の鏡付口紅容器は、キャップの一側面に照明器具及び鏡を設けてあるので、夜間や照明器具がない場所で簡便に化粧直しを行うことができる。
【考案を実施するための最良の形態】
【０００６】
本発明の鏡付口紅容器の一実施例を図面に基づいて、以下に説明する。
図１に示すように、本発明の鏡付口紅容器は、口紅本体１と該口紅本体１を被うキャップ２とから構成され、前記キャップ２は後述する鏡３を設けるために蒲鉾型（図２）、三角形（図３）、四角形などの一側面に平坦部を備える有底筒型形状となっている。
図２に示すように、本実施例に示すキャップ２は蒲鉾型となっており、平坦部には略全面にステンレスやアルミ等の金属を磨いて鏡面とした鏡３が設けられている。
また、前記キャップ２の底部には、円盤状のリチウムボタン電池４が内蔵され、該リチウムボタン電池４の電源により白色発光する発光ダイオード電球５を前記鏡３の下縁部に取付け又は埋め込む。
なお、前記発光ダイオード電球５は白色光単独に限らず、赤色光、緑色光、青色光の光３原色による組み合わせた白色光でもよく、前記発光ダイオード電球５の白色光を導く導光板（図示せず）を鏡３の四周囲に配置して照明効果を高めることも出来る。
なお、リチウムボタン電池４に限らず、円盤状のボタン電池であればどのようなものでも良い。
また、前記キャップ２の底部裏面側には、前記発光ダイオード電球５をオン／オフするＯＮ/ＯＦＦスイッチ（図示せず）を設ける。
なお、前記キャップ２の形状は、図２の蒲鉾型や図３の三角形に限らず、一側面に鏡３を設けることができる平坦部が形成されるものであればどのような形状でも良い。
【０００７】
次に、本考案の鏡付口紅容器の使用操作を図面に基づいて、以下に説明する。
図１に示すように、口紅本体１とキャップ２とが一体に結合されている収納状態から、夜間や照明器具がない場所で化粧直しをする場合には、キャップ２の底部裏面側のＯＮ/ＯＦＦスイッチ（図示せず）をオンにして発光ダイオード電球５を発光させる。
そして、口紅本体１とキャップ２とを分離して、キャップ２の鏡３を見ながら口紅本体１で口紅を塗ることが出来る。
化粧直しが終わったら、口紅本体１とキャップ２とを一体にして収納状態した後、ＯＮ/ＯＦＦスイッチ（図示せず）をオフにして発光ダイオード電球５を消灯させる。
なお、口紅を塗る場合に限らず、他の化粧直しの場合にも口紅本体１とキャップ２とが一体に結合されている収納状態で、キャップ２の底部裏面側のＯＮ/ＯＦＦスイッチ（図示せず）をオンにして発光ダイオード電球５を発光させることにより他の化粧直しを行うことが出来る。
【図面の簡単な説明】
【０００８】
【図１】本考案の鏡付口紅容器の全体斜視図である。
【図２】本考案の鏡付口紅容器の分解斜視図である。
【図３】本考案の三角形キャップの斜視図である。
【符号の説明】
【０００９】
１  口紅本体
２  キャップ
３  鏡
４  リチウムボタン電池
５  発光ダイオード電球
【図１】
0003114237.tif 000003
【図２】
0003114237.tif 000004
【図３】
0003114237.tif 000005
(57)【要約】      （修正有）【課題】紐の芯領域に接着剤が多く付着し、紐の表皮領域には接着剤が少ない不織布に撚りをかけた紐の提供。【解決手段】不織布１に接着剤２を付着すると、不織布を構成する短繊維どうしのスリップによるすりぬけを防ぐことにより,紐の引っ張り強さを強くし、紐の曲げ硬さ（腰）を向上することが出来る。しかし、紐の表皮領域を接着剤２で固めると、紐の手触りが粗肴になるので、接着剤２は,紐の芯領域に多く付着し表皮領域にはあまり付着しない構造にする。【選択図】図１
0003114215.tif 000002
【実用新案登録請求の範囲】
【請求項１】
紐の芯領域に接着剤２が多く付着し、紐の表皮領域には接着剤が少ない不織布１に撚りをかけた紐。
【考案の詳細な説明】
【考案の開示】
【考案が解決しようとする課題】
【０００１】
不織布１に単に撚りをかけた紐は、引っ張り強さが弱く腰がないという欠点がある。  しかし、通常接着剤２を紐の表皮領域にまで付着すると、紐の表面が粗肴になり結束作業等の際作業性が劣る。
【課題を解決するための手段】
【０００２】
不織布１に接着剤２を付着して繊維どうしを接着することにより、不織布１を構成する単繊維どうしのスリップしによるぬけをふせぎ、紐の引っ張り強さと、紐の曲げ硬さを向上することができる。  しかし、紐の表皮領域も接着剤２で固めると、ひもの表面が固くなり手触りが粗肴になるので、接着剤２を紐の芯の領域に多く付着し表皮領域にはあまり付着しない構造にする。
【考案の効果】
【０００３】
接着剤２を紐の芯の領域に付着し、表皮領域には接着剤２が少ない不職布１に撚りをかけた紐は、引っ張った場合不織布１を構成する単繊維同士のスリップによるぬけが少ないので、接着剤２を付着していない紐に比べて引っ張り強さが大きい。  さらに紐の腰がつく（曲げ硬さが増す）ので、紐を狭い間を通したうえ結ぶ（例えば、果樹の枝を棚に結束する作業など）仕事では作業性が優れている。しかし、接着剤２を紐の表皮領域にまでつけると、手触りが粗肴になって結束する作業者の手が痛くなるなど結束作業性が劣るので、接着剤２は紐の芯の領域に多く付着し、表皮領域にはあまり付着しない構造とすることにより、作業者の手触りも良好な紐が得られる。
【図面の簡単な説明】
【０００４】
【図１】紐の断面図である。
【符号の説明】
【０００５】
１  不織布
２  接着剤
【図１】
0003114215.tif 000003
(57)【要約】      （修正有）【課題】天然繊維または再生繊維を主体とする不織布に水溶性又は腐食性接着剤を付着し撚りをかけた紐の提供。【解決手段】屋外に放置すると自然に腐蝕崩壊する天然繊維または再生繊維を主体とする不織布１に、水溶性または腐食性接着剤２を付着して、不織布を構成する単繊維どうしを接着することにより、短繊維どうしのスリップによるぬけを防ぎ、紐の引っ張り強さと曲げ硬さ（紐の腰）を向上した紐。【選択図】図１
0003114217.tif 000002
【実用新案登録請求の範囲】
【請求項１】
天然繊維または再生繊維を主体とする不織布１に水溶性又は腐食性接着剤２を付着し撚りをかけた紐。
【考案の詳細な説明】
【考案の開示】
【考案が解決しようとする課題】
【０００１】
現在多量に使用されている合成繊維または合成樹脂フイルムよりなる紐は、使用後いつまでも引っ張り強さを保つので、後始末に手間がかかるという欠点がある。さらに不織布１に単に撚りをかけただけの紐は、引っ張り強さが弱く腰がないという欠点がある。
【課題を解決するための手段】
【０００２】
屋外に放置すると自然に崩壊する天然繊維または再生繊維を主体とする不織布１に、水溶性または腐食性接着剤２を付着して撚りをかけた紐は、不織布１を構成する単繊維どうしを接着することにより、単繊維どうしのスリップしによるぬけをふせぎ、紐の引っ張り強さと、紐の曲げ硬さを向上することができる。  接着剤２は水溶性または腐食性の材料とすることで、使用後屋外に放置すると不織布が崩壊し紐の引っ張り強さが低下する。
【考案の効果】
【０００３】
不職布１に接着剤２を付着し撚りをかけた紐は、引っ張った場合不織布１を構成する単繊維同士のスリップによるぬけが少ないので、接着剤２を付着していない紐に比べて引っ張り強さが大きい。  さらに接着剤２で単繊維同士がかためられるので、紐に腰がつき（曲げ硬さが増す）、紐を狭い間を通したうえ結ぶ（例えば、果樹の枝を棚に結束する作業など）仕事では作業性が優れている。
紐を使用後屋外に放置すると自然崩壊するので後始末が容易である。  例えば、果樹のしばり紐として使用した場合等では、果実を収穫して用済み後紐を切り落とし放置した状態で、その後果樹園の下草刈り作業をしても、草刈機に紐が絡みつくことが少なく作業性が良い。
【図面の簡単な説明】
【０００４】
【図１】紐の断面図である。
【符号の説明】
【０００５】
１  不織布
２  接着剤
【図１】
0003114217.tif 000003